(57)【要約】【課題】様々な防犯および防災に対応することが可能であって、それぞれの場合に適切な連絡先への連絡を容易にした防犯防災支援装置の提供。【解決手段】連絡先の名称および各連絡先へアクセスするための情報を記憶する連絡先記憶手段１０と、連絡先の名称およびアクセス情報を登録するためのウェブページを提供する登録ページ提供手段１３と、配信する情報の内容の雛形と、各雛形に対して関連付ける連絡先の関連付け情報とを記憶する雛形データ記憶手段１１と、雛形および当該雛形に関連付けられた連絡先の名称並びにアクセス情報を利用して、当該雛形に関連付けられた連絡先の名称およびアクセス情報を含むウェブページと、このウェブページへアクセスするためのＵＲＬが埋め込まれた電子メールとを作成するコンテンツ作成手段１４とを有する。【選択図】図２
2008009626.tif 000002
【特許請求の範囲】
【請求項１】
連絡先の名称および各連絡先へアクセスするための情報（以下、「アクセス情報」と称す。）を記憶する連絡先記憶手段と、
前記連絡先の名称およびアクセス情報を登録するためのウェブページを情報通信端末へ提供する登録ページ提供手段と、
電子メールにより配信する情報の内容の雛形と、各雛形に対して関連付ける前記連絡先の関連付け情報とを記憶する雛形データ記憶手段と、
情報通信端末からの要求に応じて、前記雛形および当該雛形に関連付けられた連絡先の名称並びにアクセス情報を利用して、当該雛形に関連付けられた連絡先の名称およびアクセス情報を含むウェブページと、このウェブページへアクセスするためのＵＲＬが埋め込まれた電子メールとを作成するコンテンツ作成手段と、
このコンテンツ作成手段により作成した電子メールを送信する電子メール送信手段と、
情報通信端末からの要求に応じて、前記コンテンツ作成手段により作成したウェブページを提供するコンテンツ提供手段と
を有する防犯防災支援装置。
【請求項２】
前記アクセス情報は、電話番号またはＵＲＬのいずれかまたは両方である請求項１記載の防犯防災支援装置。
【請求項３】
前記雛形に関連付けられた連絡先の名称およびアクセス情報は、任意に変更可能とした請求項１または２に記載の防犯防災支援装置。
【発明の詳細な説明】
【技術分野】
【０００１】
本発明は、防犯および防災のための情報を配信するとともに連絡先への連絡を容易にする防犯防災支援装置に関する。
【背景技術】
【０００２】
昨今、空き巣、強盗、誘拐、放火等の犯罪や、暴風、豪雨、洪水、地震等の災害等が発生した場合の安否確認や防止のための連絡等を目的として、パーソナルコンピュータや携帯電話機等のＩＴ（Information Technology）を利用した防犯または防災の支援システムが開発されている。
【０００３】
例えば、特許文献１には、通報する内容などが定型化されている場合、この定型情報に関しては、必要な情報だけを入力あるいは更新する入力フォーマットを予め用意しておくことにより、通報を迅速かつ正確に行うことを可能にした防災対応連絡システムが開示されている。また、このシステムでは、通報者や通報先の名称や所在地、電話番号などは固定情報であることから、予め記載されている。
【０００４】
【特許文献１】特開２００６−７４１９８号公報（段落００４５−００４８、図１２，図１３）
【発明の開示】
【発明が解決しようとする課題】
【０００５】
特許文献１に記載の防災対応連絡システムでは、予め用意された入力フォーマットを使用することで通報を容易にしているものの、通報先の名称や電話番号などは固定情報であるため、この固定情報を変更するためにはシステムの管理者側で操作を行わなければならない。
【０００６】
そのため、常に通報先が同じであれば良いが、空き巣、強盗、誘拐、放火等の犯罪や、暴風、豪雨、洪水、地震等の災害等の様々な防犯および防災に対応するには不向きである。仮に、これらの多様な防犯防災に対応するために、すべての連絡先を予め登録しておくとすると、通知される通報先が多すぎて、本当に連絡すべき通報先が分からなくなってしまうという問題が発生する。
【０００７】
そこで、本発明においては、空き巣、強盗、誘拐、放火等の犯罪や、暴風、豪雨、洪水、地震等の災害等の様々な防犯および防災に対応することが可能であって、それぞれの場合に適切な連絡先への連絡を容易にした防犯防災支援装置を提供することを目的とする。
【課題を解決するための手段】
【０００８】
本発明の防犯防災支援装置は、連絡先の名称および各連絡先へアクセスするための情報（以下、「アクセス情報」と称す。）を記憶する連絡先記憶手段と、連絡先の名称およびアクセス情報を登録するためのウェブページを情報通信端末へ提供する登録ページ提供手段と、電子メールにより配信する情報の内容の雛形と、各雛形に対して関連付ける連絡先の関連付け情報とを記憶する雛形データ記憶手段と、情報通信端末からの要求に応じて、雛形および当該雛形に関連付けられた連絡先の名称並びにアクセス情報を利用して、当該雛形に関連付けられた連絡先の名称およびアクセス情報を含むウェブページと、このウェブページへアクセスするためのＵＲＬ（Uniform Resource Locator）が埋め込まれた電子メールとを作成するコンテンツ作成手段と、このコンテンツ作成手段により作成した電子メールを送信する電子メール送信手段と、情報通信端末からの要求に応じて、コンテンツ作成手段により作成したウェブページを提供するコンテンツ提供手段とを有するものである。
【０００９】
本発明によれば、利用者が、情報通信端末により雛形を利用して情報を配信する電子メールを作成すると、この雛形に関連付けられた連絡先の名称およびアクセス情報を含むウェブページが作成され、このウェブページへアクセスするためのＵＲＬが電子メールに埋め込まれ、送信される。したがって、この電子メールを受信した利用者は、この電子メールに含まれるＵＲＬに基づいてウェブページへアクセスすることにより、雛形に関連付けられた連絡先の名称およびアクセス情報を得ることができる。これにより、電子メールを受信した利用者は、雛形に関連してそれぞれの場合に適切な連絡先へ容易に連絡することが可能となり、空き巣、強盗、誘拐、放火等の犯罪や、暴風、豪雨、洪水、地震等の災害等の様々な防犯および防災に対応することが可能となる。
【００１０】
ここで、アクセス情報は、電話番号またはＵＲＬのいずれかまたは両方であることが望ましい。アクセス情報が電話番号であれば、電子メールを受信した利用者は、雛形に関連してそれぞれの場合に適切な連絡先へ電話により容易に連絡することが可能となる。また、アクセス情報がＵＲＬであれば、電子メールを受信した利用者は、雛形に関連してそれぞれの場合に適切な連絡先のウェブページへＵＲＬによりアクセスすることが可能となり、このウェブページによりさらに詳細な情報を入手することや、ウェブページ上の掲示板への書き込みにより情報提供すること等が可能となる。
【００１１】
また、雛形に関連付けられた連絡先の名称およびアクセス情報を、任意に変更可能とすることにより、状況に応じてさらに適切な連絡先を設定することが可能となり、さらに様々な防犯および防災に柔軟に対応することが可能となる。
【発明の効果】
【００１２】
（１）連絡先の名称および各連絡先へアクセスするためのアクセス情報を記憶する連絡先記憶手段と、連絡先の名称およびアクセス情報を登録するためのウェブページを情報通信端末へ提供する登録ページ提供手段と、電子メールにより配信する情報の内容の雛形と、各雛形に対して関連付ける連絡先の関連付け情報とを記憶する雛形データ記憶手段と、情報通信端末からの要求に応じて、雛形および当該雛形に関連付けられた連絡先の名称並びにアクセス情報を利用して、当該雛形に関連付けられた連絡先の名称およびアクセス情報を含むウェブページと、このウェブページへアクセスするためのＵＲＬが埋め込まれた電子メールとを作成するコンテンツ作成手段と、このコンテンツ作成手段により作成した電子メールを送信する電子メール送信手段と、情報通信端末からの要求に応じて、コンテンツ作成手段により作成したウェブページを提供するコンテンツ提供手段とを有する構成により、利用者が、情報通信端末により雛形を利用して情報を配信する電子メールを作成すると、この雛形に関連付けられた連絡先の名称およびアクセス情報を含むウェブページが作成され、このウェブページへアクセスするためのＵＲＬが電子メールに埋め込まれ、送信されるので、この電子メールを受信した利用者は、雛形に関連してそれぞれの場合に適切な連絡先へ容易に連絡することが可能となり、空き巣、強盗、誘拐、放火等の犯罪や、暴風、豪雨、洪水、地震等の災害等の様々な防犯および防災に対応することが可能となる。
【００１３】
（２）アクセス情報が電話番号であれば、電子メールを受信した利用者は、雛形に関連してそれぞれの場合に適切な連絡先へ電話により容易に連絡することが可能となる。また、アクセス情報がＵＲＬであれば、電子メールを受信した利用者は、雛形に関連してそれぞれの場合に適切な連絡先のウェブページへＵＲＬによりアクセスすることが可能となり、このウェブページによりさらに詳細な情報を入手することや、ウェブページ上の掲示板への書き込みにより情報提供すること等が可能となる。
【００１４】
（３）雛形に関連付けられた連絡先の名称およびアクセス情報が、任意に変更可能であることにより、状況に応じてさらに適切な連絡先を設定することが可能となり、さらに様々な防犯および防災に柔軟に対応することが可能となる。
【発明を実施するための最良の形態】
【００１５】
図１は本発明の実施の形態における防犯防災支援システムの全体構成図、図２は図１の防犯防災支援装置のブロック図である。
【００１６】
図１において、本発明の実施の形態における防犯防災支援システムは、防犯防災支援装置１と、電気通信回線としてのインターネット（図示せず。）を通じて防犯防災支援装置１にアクセス可能なパーソナルコンピュータ（以下、「ＰＣ」と称す。）２および携帯電話装置３ａ，３ｂ，３ｃ，３ｄ，３ｅ等により構成される。
【００１７】
ＰＣ２および携帯電話装置３ａは、空き巣、強盗、誘拐、放火等の犯罪や、暴風、豪雨、洪水、地震等の災害等が発生した場合の安否確認や防止のための連絡等の情報を配信する情報配信者側の利用者が使用する情報通信端末であり、ウェブページ閲覧機能を有する。また、携帯電話装置３ｂ，３ｃ，３ｄ，３ｅは、情報配信者により配信された情報を利用する情報受信者側の利用者が使用する情報通信端末であり、ウェブページ閲覧機能および電子メール受信機能を有する。なお、ＰＣ２および携帯電話装置３ａ〜３ｅは、電子メール送受信機能を有するものでも良い。
【００１８】
防犯防災支援装置１は、図２に示すように、連絡先記憶手段１０、雛形データ記憶手段１１、コンテンツ記憶手段１２、登録ページ提供手段１３、コンテンツ作成手段１４、電子メール送信手段１５およびコンテンツ提供手段１６等を有する。
【００１９】
連絡先記憶手段１０は、連絡先の名称および各連絡先へアクセスするためのアクセス情報を記憶するものである。ここで、連絡先としては、警察署、派出所、消防署、病院、学校等である。アクセス情報は、これらの各連絡先の電話番号、ファクシミリ番号、ＵＲＬ、住所等であるが、電話番号またはＵＲＬのいずれかまたは両方であることが望ましい。図３は連絡先記憶手段１０に記憶されるアクセス情報の例を示している。
【００２０】
雛形データ記憶手段１１は、電子メールにより配信する情報の内容の雛形と、各雛形に対して関連付ける連絡先の関連付け情報とを記憶するものである。図４は雛形データ記憶手段１１に記憶される雛形情報の例を示している。図４に示すように、雛形は表題および本文から構成され、各雛形には連絡先が、例えば連絡先コードによって関連付けられている。
【００２１】
登録ページ提供手段１３は、図３に示す連絡先の名称およびアクセス情報、並びに図４に示す雛形情報を登録するためのウェブページをＰＣ２や携帯電話装置３ａ等の情報通信端末へ提供するものである。図５は登録ページ提供手段１３により提供される登録ページの例を示している。
【００２２】
登録ページ提供手段１３は、まず、図５の（ａ）に示すログインページ１００をＰＣ２や携帯電話装置３ａ等の情報通信端末へ提供する。利用者は、このログインページ１００の入力欄１０１，１０２にそれぞれお客様コード（ログインＩＤ）およびパスワードを入力し、ログインボタン１０３を押下することによりログインを行う。ログイン後、登録ページ提供手段１３は、図５の（ｂ）に示すメニューページ１１０を情報通信端末へ提供する。連絡先の登録は、メニューページ１１０の登録ボタン１１１の押下により提供される図５の（ｃ）に示す登録ページ１２０から行う。登録ページ１２０には、連絡先の名称およびアクセス情報をそれぞれ入力する入力欄１２１，１２２が設けられている。各入力欄１２１，１２２への入力後、登録ボタン１２３を押下すると、各入力欄１２１，１２２へ入力された内容が情報通信端末から防犯防災支援装置１に送信され、連絡先記憶手段１０に記憶される。
【００２３】
図６は登録ページ提供手段１３により提供される雛形情報を登録するための雛形登録ページの例を示している。図５の（ｂ）に示すメニューページ１１０には、各雛形の表題１１２が表示されており、各表題１１２の登録変更ボタン１１３が押下されると、登録ページ提供手段１３は、図６の（ａ）や（ｂ）に示すような雛形登録ページ１３０ａ，１３０ｂを情報通信端末へ提供する。この雛形登録ページ１３０ａ，１３０ｂには、雛形の表題および本文をそれぞれ入力する入力欄１３１，１３２と、登録ボタン１３３とが設けられている。各入力欄１３１，１３２への入力後、登録ボタン１３３を押下すると、各入力欄１３１，１３２へ入力された内容が情報通信端末から防犯防災支援装置１に送信され、雛形データ記憶手段１１へ記憶される。
【００２４】
また、各雛形登録ページ１３０ａ，１３０ｂには、それぞれの雛形に関連付けられる連絡先を選択する選択欄１３４と、各連絡先のアクセス情報を入力する入力欄１３５と、登録ボタン１３６とが設けられている。選択欄１３４は、初期値として、各雛形に関連付けられた連絡先が予め選択されており、入力欄１３５には、この予め選択された連絡先のアクセス情報が入力されている。この選択欄１３４では、プルダウンメニューによって連絡先記憶手段１０に記憶されている連絡先の中から任意の連絡先を選択することが可能であり、入力欄１３５には、この選択欄１３４により選択された連絡先のアクセス情報が自動的に入力される。各選択欄１３４および各入力欄１３５を変更した場合、登録ボタン１３６を押下すると、各選択欄１３４によって選択された内容および各入力欄１３５に入力された内容が情報通信端末から防犯防災支援装置１に送信され、連絡先記憶手段１０へ記憶されるとともに、雛形データ記憶手段１１の関連付け情報が更新される。
【００２５】
コンテンツ作成手段１４は、ＰＣ２や携帯電話装置３ａ等の情報通信端末からの要求に応じて、雛形データ記憶手段１１および連絡先記憶手段１０に記憶されている雛形およびこの雛形に関連付けられた連絡先の名称並びにアクセス情報を利用して、この雛形に関連付けられた連絡先の名称およびアクセス情報を含むウェブページを作成し、コンテンツ記憶手段１２に記憶するとともに、このコンテンツ記憶手段１２に記憶されたウェブページへアクセスするためのＵＲＬが埋め込まれた電子メールを作成するものである。
【００２６】
図７はコンテンツ作成手段１４により情報通信端末に提供されるメール設定ページの例を示している。図７に示すメール設定ページ１４０は、図５の（ｂ）に示すメニューページ１１０のメール配信ボタン１１４を押下することによって提供される。図７に示すように、メール設定ページ１４０には、雛形をプルダウンメニューによって選択する選択欄１４１と、電子メールの本文を入力する入力欄１４２と、選択欄１４１により選択した雛形の本文を入力欄１４２に呼び出す呼出ボタン１４３とが設けられている。選択欄１４１により選択可能な雛形は、雛形データ記憶手段１１に記憶された雛形である。選択欄１４１により雛形が選択され、呼出ボタン１４３が押下されると、選択欄１４１により選択された雛形に該当する本文が雛形データ記憶手段１１から呼び出され、入力欄１４２に自動的に入力される。なお、入力欄１４２に自動的に入力された内容については、任意に追加および変更することが可能であり、状況に応じて最適な内容とすることが可能である。
【００２７】
また、メール設定ページ１４０には、画像を表示するか表示しないかを選択する選択欄１４４と、画像を表示する場合に画像をアップロードするための電子メールを作成するメール作成ボタン１４５と、メール作成ボタン１４５により画像を添付した電子メールを送信してアップロードされた画像を表示する画像表示欄１４６と、作成した電子メールの即配信を指定する即配信ボタン１４７と、作成した電子メールの配信日時を指定する配信日時指定欄１４８と、配信日時指定欄１４８により指定した配信日時に配信予約する予約ボタン１４９等が設けられている。
【００２８】
コンテンツ作成手段１４は、このメール設定ページ１４０によって指定された内容に基づいて、図８に示すような電子メール２００および図９に示すようなウェブページ３００を作成する。コンテンツ作成手段１４は、メール設定ページ１４０の選択欄１４１により選択された雛形に関連付けられた連絡先の名称およびアクセス情報を連絡先記憶手段１０から取得し、ウェブページ３００に含める。図９の例では、ウェブページ３００には、連絡先の名称を付したボタン３０１が設けられており、各ボタン３０１を押下した際にそれぞれのアクセス情報へアクセスさせるようになっている。また、このウェブページ３００には、選択欄１４４により画像を表示する選択がなされている場合に表示される画像３０２が含まれている。ここで、画像３０２として、被捜索者（物）の写真や災害状況の写真等を用いれば、電子メールの受信者に対してより分かりやすい情報を提供することができる。
【００２９】
また、コンテンツ作成手段１４は、メール設定ページ１４０によって指定された内容に基づいて、入力欄１３１に入力された内容を件名２０１とし、入力欄１３２に入力された内容を本文２０２とする電子メール２００を作成する。また、コンテンツ作成手段１４は、この電子メール２００の本文２０２に、図９に示すウェブページ３００へアクセスするためのＵＲＬ２０３を埋め込む。電子メール送信手段１５は、このコンテンツ作成手段１４により作成した電子メールを、予め登録された情報受信者側の携帯電話装置３ｂ，３ｃ，３ｄ，３ｅに対して送信するものである。コンテンツ提供手段１６は、この電子メールを受信した各携帯電話装置３ｂ，３ｃ，３ｄ，３ｅからの要求に応じて、コンテンツ作成手段１４により作成したウェブページを提供するものである。
【００３０】
上記構成の防犯防災支援システムでは、空き巣、強盗、誘拐、放火等の犯罪や、暴風、豪雨、洪水、地震等の災害等が発生した場合の安否確認や防止のための連絡等の情報を配信する情報配信者側の利用者が、メール設定ページ１４０の選択欄１４１により雛形を選択して情報を配信する電子メール２００を作成すると、この選択された雛形に関連付けられた連絡先の名称およびアクセス情報を含むウェブページ３００が作成され、このウェブページ３００へアクセスするためのＵＲＬ２０３が電子メール２００に埋め込まれ、送信される。したがって、この電子メール２００を受信した利用者は、この電子メール２００に含まれるＵＲＬ２０３に基づいてウェブページ３００へアクセスすることにより、雛形に関連付けられた連絡先の名称およびアクセス情報を得ることができる。これにより、電子メール２００を受信した利用者は、雛形に関連してそれぞれの場合に適切な連絡先へ容易に連絡することが可能となり、空き巣、強盗、誘拐、放火等の犯罪や、暴風、豪雨、洪水、地震等の災害等の様々な防犯および防災に対応することが可能となる。
【００３１】
このとき、アクセス情報が電話番号であれば、電子メール２００を受信した利用者は、雛形に関連してそれぞれの場合に適切な連絡先へ携帯電話装置３ｂ，３ｃ，３ｄ，３ｅの電話機能を用いて電話を掛けることにより容易に連絡することが可能である。また、アクセス情報がＵＲＬであれば、電子メール２００を受信した利用者は、雛形に関連してそれぞれの場合に適切な連絡先のウェブページへ携帯電話装置３ｂ，３ｃ，３ｄ，３ｅのウェブページ閲覧機能を用いてＵＲＬによりアクセスすることが可能であり、このウェブページによりさらに詳細な情報を入手することが可能である。
【００３２】
また、本実施形態における防犯防災支援システムでは、雛形に関連付けられた連絡先の名称およびアクセス情報を、図５の（ｃ）に示す登録ページ１２０や、図６の（ａ），（ｂ）に示す雛形登録ページ１３０ａ，１３０ｂから任意に変更することが可能であるため、状況に応じてさらに適切な連絡先を設定することが可能であり、さらに様々な防犯および防災に柔軟に対応することが可能である。
【産業上の利用可能性】
【００３３】
本発明の防犯防災支援装置は、空き巣、強盗、誘拐、放火等の犯罪や、暴風、豪雨、洪水、地震等の災害等が発生した場合の安否確認や防止のための連絡等を目的とする情報を配信するとともに連絡先への連絡を容易にするシステムを実現するものとして有用である。
【図面の簡単な説明】
【００３４】
【図１】本発明の実施の形態における防犯防災支援システムの全体構成図である。
【図２】図１の防犯防災支援装置のブロック図である。
【図３】連絡先記憶手段に記憶されるアクセス情報の例を示す図である。
【図４】雛形データ記憶手段に記憶される雛形情報の例を示す図である。
【図５】登録ページ提供手段により提供される登録ページの例を示す図である。
【図６】登録ページ提供手段により提供される雛形情報を登録するための雛形登録ページの例を示す図である。
【図７】コンテンツ作成手段により情報通信端末に提供されるメール設定ページの例を示す図である。
【図８】図１の防犯防災支援装置により作成される電子メールの例を示す図である。
【図９】図１の防犯防災支援装置により作成されるウェブページの例を示す図である。
【符号の説明】
【００３５】
１  防犯防災支援装置
２  ＰＣ
３ａ，３ｂ，３ｃ，３ｄ，３ｅ  携帯電話装置
１０  連絡先記憶手段
１１  雛形データ記憶手段
１２  コンテンツ記憶手段
１３  登録ページ提供手段
１４  コンテンツ作成手段
１５  電子メール送信手段
１６  コンテンツ提供手段
１００  ログインページ
１０１，１０２  入力欄
１０３  ログインボタン
１１０  メニューページ
１１１  登録ボタン
１１２  表題
１１３  登録変更ボタン
１１４  メール配信ボタン
１２０  登録ページ
１２１，１２２  入力欄
１２３  登録ボタン
１３０ａ，１３０ｂ  雛形登録ページ
１３１，１３２，１３５  入力欄
１３３，１３６  登録ボタン
１３４  選択欄
１４０  メール設定ページ
１４１  選択欄
１４２  入力欄
１４３  呼出ボタン
１４４  選択欄
１４５  メール作成ボタン
１４６  画像表示欄
１４７  即配信ボタン
１４８  配信日時指定欄
１４９  予約ボタン
２００  電子メール
２０１  件名
２０２  本文
２０３  ＵＲＬ
３００  ウェブページ
３０１  ボタン
３０２  画像
【図１】
2008009626.tif 000003
【図２】
2008009626.tif 000004
【図３】
2008009626.tif 000005
【図４】
2008009626.tif 000006
【図５】
2008009626.tif 000007
【図６】
2008009626.tif 000008
【図７】
2008009626.tif 000009
【図８】
2008009626.tif 000010
【図９】
2008009626.tif 000011